(57)【特許請求の範囲】
【請求項１】
扉体左縁が嵌まり込む左側門柱の案内部に沿って昇降可能な左側支持体と、左側門柱の扉体昇降経路から外れた個所に取り付けられ且つ左側支持体を所定高さに保持可能な左側架台と、同様に扉体右縁が嵌まり込む右側門柱の案内部に沿って昇降可能な右側支持体と、右側門柱の扉体昇降経路から外れた個所に取り付けられ且つ右側支持体を所定高さに保持可能な右側架台とを有し、左側及び右側の支持体を一体化したうえ、扉体の昇降棒に上下へ相対移動可能に外嵌させ、この一体化した支持体を押し上げ得るように扉体に押圧部材を取り付けたことを特徴とする昇降棒座屈防止装置を備えた水門。
【請求項２】
扉体左側の昇降棒に上下へ相対移動可能に外嵌し且つ扉体左縁が嵌まり込む左側門柱の案内部に沿って昇降可能な左側支持体と、左側門柱の扉体昇降経路から外れた個所に取り付けられ且つ左側支持体を所定高さに保持可能な左側架台と、前記左側支持体を押し上げ得るように扉体に取り付けた左側押圧部材と、同様に扉体右側の昇降棒に上下へ相対移動可能に外嵌し且つ扉体右縁が嵌まり込む右側門柱の案内部に沿って昇降可能な右側支持体と、右側門柱の扉体昇降経路から外れた個所に取り付けられ且つ右側支持体を所定高さに保持可能な右側架台と、前記右側支持体を押し上げ得るように扉体に取り付けた右側押圧部材とを有し、左側及び右側の支持体を連結材により一体的につないだことを特徴とする昇降棒座屈防止装置を備えた水門。
【請求項３】
左側門柱の案内部に設けてある扉体左側ローラ、または滑りシュー用のサイドレールに嵌合する凹部を左側支持体に設け、同様に右側門柱の案内部に設けてある扉体右側ローラ、または滑りシュー用のサイドレールに嵌合する凹部を右側支持体に設けた請求項１あるいは請求項２のいずれかに記載の昇降棒座屈防止装置を備えた水門。
【発明の詳細な説明】
【技術分野】
【０００１】
本発明は昇降棒座屈防止装置を備えた水門に関するものである。
【背景技術】
【０００２】
扉体を左右の門柱案内部に沿って昇降させる構造の水門に適した開閉機には、扉体上辺に下端部分を連結したスピンドル、あるいはラックなどの昇降棒と、左右の門柱をつなぐ門梁に設置した駆動機構とを主な構成要素にしたものがあり、駆動機構によって昇降棒を引き上げると、扉体が開位置へ上昇し、反対に駆動機構によって昇降棒を押し下げると、扉体が閉位置へ下降する。
【０００３】
しかし、水門を閉止する際に、扉体下辺の着底と同時に駆動装置が停止しないと昇降棒に圧縮方向の力が働き、当該昇降棒に座屈が生じる。
【０００４】
そこで、左右のローラカイド溝（門柱案内部）の上側にラック（昇降棒）を挟んで垂直に延びるガイド棒を設置し、当該ガイド棒とラックとが上下へ相対移動可能に突き抜ける摺動孔を形成した受桁を扉体の上側に配置し、受桁下面に当接可能な支持金具をラックの下端部分に取り付けた、ラック棒座屈防止用受桁が提案されている（例えば、特許文献１参照）。
【０００５】
このラック棒座屈防止受桁では、常にローラガイド溝の上側に位置している受桁により扉体の着底に伴うガイド棒の撓みを抑え、また、水門を開放する際に、支持金具で受桁を押し上げて扉体の昇降代を確保する。
【特許文献１】特許第３０９６８９８号公報
【発明の開示】
【発明が解決しようとする課題】
【０００６】
特許文献１のものは、受桁がローラガイド溝の上側にあるガイド棒に見合う範囲でしか昇降しないので、扉体下辺が着底するときには、昇降棒の下端部分が連結されている扉体上辺から昇降棒の中間部分を支持している受桁までの距離が拡がり過ぎ、昇降棒に座屈が生じることが懸念される。
【０００７】
本発明は上述した実情に鑑みてなしたもので、水門の開閉機を構成しているスピンドルやラックなどの昇降棒の座屈を確実に防止できるようにすることを目的としている。
【課題を解決するための手段】
【０００８】
上記目的を達成するため、本発明は、扉体左縁が嵌まり込む左側門柱の案内部に沿って昇降可能な左側支持体と、左側門柱の扉体昇降経路から外れた個所に取り付けられ且つ左側支持体を所定高さに保持可能な左側架台と、同様に扉体右縁が嵌まり込む右側門柱の案内部に沿って昇降可能な右側支持体と、右側門柱の扉体昇降経路から外れた個所に取り付けられ且つ右側支持体を所定高さに保持可能な右側架台とを有し、左側及び右側の支持体を一体化したうえ、扉体の昇降棒に上下へ相対移動可能に外嵌させ、この一体化した支持体を押し上げ得るように扉体に押圧部材を取り付けている。
【０００９】
また、扉体左側の昇降棒に上下へ相対移動可能に外嵌し且つ扉体左縁が嵌まり込む左側門柱の案内部に沿って昇降可能な左側支持体と、左側門柱の扉体昇降経路から外れた個所に取り付けられ且つ左側支持体を所定高さに保持可能な左側架台と、前記左側支持体を押し上げ得るように扉体に取り付けた左側押圧部材と、同様に扉体右側の昇降棒に上下へ相対移動可能に外嵌し且つ扉体右縁が嵌まり込む右側門柱の案内部に沿って昇降可能な右側支持体と、右側門柱の扉体昇降経路から外れた個所に取り付けられ且つ右側支持体を所定高さに保持可能な右側架台と、前記右側支持体を押し上げ得るように扉体に取り付けた右側押圧部材とを有し、左側及び右側の支持体を連結材により一体的につないだ構成を採る。
【００１０】
更に、左側門柱の案内部に設けてある扉体左側ローラ、または滑りシュー用のサイドレールに嵌合する凹部を左側支持体に設け、同様に右側門柱の案内部に設けてある扉体右側ローラ、または滑りシュー用のサイドレールに嵌合する凹部を右側支持体に設けた構成を採る。
【発明の効果】
【００１１】
本発明の昇降棒座屈防止装置を備えた水門によれば、下記のような優れた効果を奏し得る。
【００１２】
（１）門柱の案内部に沿って昇降可能な左右の支持体を一体化したうえ、扉体の昇降棒に上下へ相対移動可能に外嵌させ、支持体を所定高さに保持可能な架台を左右の門柱に取り付けたので、扉体下辺が着底する際の支持体と昇降棒の下端部分との距離が拡がり過ぎず、昇降棒の座屈を効果的に抑制でき、しかも、扉体が支持体を押し上げるので、扉体の上昇代を確保できる。
【００１３】
（２）門柱の案内部に設けてローラ、または滑りシュー用のサイドレールに嵌合する凹部を支持体に設ける構成を採れば、支持体を安定して上下へ導くことができ、既設の水門に対しても、大きな改造を施さずに昇降棒座屈防止装置を装備できる。
【発明を実施するための最良の形態】
【００１４】
以下、本発明の実施の形態を図面に基づき説明する。
【００１５】
図１〜図５は本発明の昇降棒座屈防止装置を備えた水門の一例を示すもので、扉体１が左右の門柱２の案内部３に沿って昇降する構造の水門に用いる開閉機を対象としている。
【００１６】
扉体１の左縁は、左側門柱２の案内部３に嵌まり込み、扉体１の右縁は、右側門柱２の案内部３に嵌まり込んでいる。
【００１７】
扉体１の左右の側端面にはローラ４が取り付けられており、当該ローラ４は、案内部３に埋め込んであるサイドレール５に沿って転動する。
【００１８】
開閉機は、扉体１の上辺左右にそれぞれ下端部分をピン連結したスピンドル、あるいはラックなどの一対の昇降棒６と、左右の門柱２をつないでいる梁７に設置した駆動機構８とを主な構成要素にしており、当該駆動機構８によって昇降棒６を引き上げると、扉体１が開位置へ上昇し、駆動機構８によって昇降棒６を押し下げると、扉体１が閉位置へ下降する。
【００１９】
昇降棒座屈防止装置は、左側の昇降棒６に上下へ相対移動可能に外嵌し且つ左側門柱２の案内部３に沿って昇降可能な左側支持体９と、扉体１の昇降を妨げないように左側門柱２に取り付けられ且つ左側支持体９を所定高さに保持可能な左側架台１０と、左側支持体９を押し上げ得るように扉体１に取り付けた左側押圧部材１１と、右側の昇降棒６に上下へ相対移動可能に外嵌し且つ右側門柱２の案内部３に沿って昇降可能な右側支持体９と、扉体１の昇降を妨げないように右側門柱２に取り付けられ且つ右側支持体９を所定高さに保持可能な右側架台１０と、右側支持体９を押し上げ得るように扉体１に取り付けた右側押圧部材１１と、水平に延び且つ左右の支持体９を一体的につなぐ連結材１２とを備え、左右の支持体９、架台１０、及び押圧部材１１は基本的に対称な形状としてある。
【００２０】
支持体９は、昇降棒６が挿通される孔１３を穿設した第１の部材１４と、平面視が凹字形状で長溝１５に昇降棒６が嵌まる第２の部材１６と、前記架台１０の上面に当接し得るように第２の部材１６に取り付けた第３の部材１７と、前記押圧部材１１が下面に当接し得るように第２の部材１６に取り付けた第４の部材１８と、第２の部材１６に左右へ位置調整可能にボルト締結した第５の部材１９とによって構成され、第２、第５の部材１６，１９には、サイドレール５に嵌合する凹部２０，２１が形作られている。
【００２１】
連結材１２は、前記第２の部材１６にボルト締結されるプレート２２を、中空棒２３の両端部分に取り付けたものであり、昇降棒６に対して支持体９が傾くことを抑え、しかも昇降棒６の周方向に支持体９が変位することを防ぐ役割を担う。
【００２２】
図１のように下辺が着底した閉位置から扉体１が上昇すると、やがて左右の押圧部材１１が図２のように各第４の部材１８に同時に当接して左右の支持体９を押し上げ、図３のように各第３の部材１７が左右の架台１０から離れ、左右の支持体９及び連結材１２が扉体１と一体的に上昇する。
【００２３】
押圧部材１１が第４の部材１８に当接して支持体９が上昇し始めるまでは、各昇降棒６が第１の部材１４の孔１３を上向きに摺動する。
【００２４】
また、押圧部材１１が第４の部材１８に当接した後は、第２、第５の部材１６，１９の凹部２０，２１がサイドレール５に沿って上向きに摺動する。
【００２５】
よって、扉体１は、支持体９が門柱２の案内部３の最上端に至るまで上昇可能となる。
【００２６】
開位置から扉体１を下降させると、左右の支持体９及び連結材１２も追従して下降し、やがて各第３の部材１７が図２のように左右の架台１０に同時に当接して左右の支持体９及び連結材１２が停止し、扉体１と昇降棒６だけが下降し続ける。
【００２７】
第３の部材１７が架台１０に当接して支持体９が止まるまでは、第２、第５の部材１６，１９の凹部２０，２１がサイドレール５に沿って下向きに摺動する。
【００２８】
また、第３の部材１７が架台１０に当接した後は、各昇降棒６が第１の部材１４の孔１３を下向きに摺動する。
【００２９】
よって、支持体９は、架台１０の取付個所である門柱２の高さ方向中間、具体的には、扉体１の上辺が上下に移動する範囲の中間あたりまで下降可能となる。
【００３０】
つまり、扉体１の下辺が着底するときに、昇降棒６の下端部分が連結されている扉体１の上辺から昇降棒６が貫通している支持体９までの距離が拡がり過ぎず、昇降棒６の座屈を効果的に抑制できる。
【００３１】
図６は本発明の昇降棒座屈防止装置を備えた水門の他の例を示すもので、昇降棒６が一本の開閉機を対象とし、図中、図１〜図５と同一の符号を付した部分は同一物を表している。
【００３２】
昇降棒座屈防止装置は、左側門柱２の案内部３に沿って昇降可能な左側支持体２４と、扉体１の昇降を妨げないように左側門柱２に取り付けられ且つ左側支持体２４を所定高さに保持可能な左側架台１０と、左側支持体９を押し上げ得るように扉体１に取り付けた左側押圧部材１１と、右側門柱２の案内部３に沿って昇降可能な右側支持体２４と、扉体１の昇降を妨げないように右側門柱２に取り付けられ且つ右側支持体２４を所定高さに保持可能な右側架台１０と、右側支持体９を押し上げ得るように扉体１に取り付けた右側押圧部材１１と、昇降棒６に外嵌し且つ左右の支持体２４を一体的につなぐ連結材２５とを備え、左右の支持体２４、架台１０、及び押圧部材１１は基本的に対称な形状としてある。
【００３３】
支持体２４は、案内部３から昇降棒６の近くへと水平に延びる第１の部材２６と、前記架台１０の上面に当接し得るように第１の部材２６に取り付けた第２の部材２７と、前記押圧部材１１が下面に当接し得るように第１の部材２６に取り付けた第３の部材２８と、第１の部材２６に左右へ位置調整可能にボルト締結した第４の部材２９とによって構成され、第１、第４の部材２６，２９には、サイドレール５に嵌合する凹部３０，３１が形作られている。
【００３４】
連結材２５には、昇降棒６が挿通される孔３２を有し、各支持体２４の昇降棒６寄りの端部にボルト締結したものであり、昇降棒６に対して支持体２４が傾くことを抑える役割を担う。
【００３５】
閉位置から扉体１が上昇すると、やがて左右の押圧部材１１が各第３の部材２８に同時に当接して左右の支持体２４を押し上げ、各第２の部材２７が左右の架台１０から離れ、左右の支持体２４及び連結材２５が扉体１と一体的に上昇する。
【００３６】
押圧部材１１が第３の部材２８に当接して支持体２４が上昇し始めるまでは、昇降棒６が連結材２５の孔３２を上向きに摺動する。
【００３７】
また、押圧部材１１が第３の部材２８に当接した後は、第１、第４の部材２６，２９の凹部３０，３１がサイドレール５に沿って上向きに摺動する。
【００３８】
よって、扉体１は、支持体２４が門柱２の案内部３の最上端に至るまで上昇可能となる。
【００３９】
開位置から扉体１を下降させると、左右の支持体２４及び連結材２５も追従して下降し、やがて各第２の部材２７が左右の架台１０に同時に当接して左右の支持体２４及び連結材２５が停止し、扉体１と昇降棒６だけが下降し続ける。
【００４０】
第２の部材２７が架台１０に当接して支持体２４が止まるまでは、第１、第４の部材２６，２９の凹部３０，３１がサイドレール５に沿って下向きに摺動する。
【００４１】
また、第２の部材２７が架台１０に当接した後は、昇降棒６が連結材２５の孔３２を下向きに摺動する。
【００４２】
よって、支持体２４は、架台１０の取付個所である門柱２の高さ方向中間、具体的には、扉体１の上辺が上下に移動する範囲の中間あたりまで下降可能となる。
【００４３】
つまり、扉体１の下辺が着底するときに、昇降棒６の下端部分が連結されている扉体１の上辺から昇降棒６が貫通している連結材２５までの距離が拡がり過ぎず、昇降棒６の座屈を効果的に抑制できる。
【００４４】
更に、連結材２５を使わずに左右の支持体２４を一体的につないでもよく、この一例としては、各支持体２４の昇降棒６寄りの端部に平面視が凹字形状で昇降棒６が嵌まる長溝を、図５における第２の部材１６のように形成し、双方の長溝が昇降棒６を周方向に取り囲むように各支持体２４の昇降棒６寄りの端部を互いに重ね合わせてボルト締結する、というような構造が考えられる。
【００４５】
なお、本発明の昇降棒座屈防止装置を備えた水門は、上述した実施の形態のみに限定されるものではなく、ローラに代えて扉体の左右の側端面にサイドレールに沿って摺動可能な滑りシューを取り付けた水門に適用すること、その他、本発明の要旨を逸脱しない範囲において変更を加え得ることは勿論である。
【産業上の利用可能性】
【００４６】
本発明の昇降棒座屈防止装置を備えた水門は、既設の水門にも適用することができる。
【図面の簡単な説明】
【００４７】
【図１】本発明の昇降棒座屈防止装置を備えた水門の一例を示す概念図である。
【図２】図１の支持体が架台と押圧部材の双方に当接した状態を示す拡大図である。
【図３】図１の支持体を押圧部材が押し上げた状態を示す拡大図である。
【図４】図１の支持体から押圧部材が離れた状態を示す拡大図である。
【図５】図１の支持体の平面視を示す拡大図である。
【図６】本発明の昇降棒座屈防止装置を備えた水門の他の例において支持体が架台と押圧部材の双方に当接した状態を示す拡大図である。
【符号の説明】
【００４８】
１  扉体
２  門柱
３  案内部
４  ローラ
５  サイドレール
６  昇降棒
９  支持体
１０  架台
１１  押圧部材
１２  連結材
２０  凹部
２１  凹部
２４  支持体
２５  連結材
３０  凹部
３１  凹部
【図１】
0004825192.tif 000002
【図２】
0004825192.tif 000003
【図３】
0004825192.tif 000004
【図４】
0004825192.tif 000005
【図５】
0004825192.tif 000006
【図６】
0004825192.tif 000007